(57)【要約】【課題】合成樹脂製硬質パイプにたけのこ状継手管を嵌め込む作業を、簡単、迅速、能率的にできるようにすると共に、構造簡単で、安価に製作できる嵌めこみ工具を提供する。【解決手段】鋸歯１１を設けた鋸歯杆１０と、合成樹脂製硬質パイプ９０つかみを設けたスライダー２０と、スライダー２０を前進させるレバー３０と、スライダー２０とレバー３０とに軸着した梃子杆４０と、鋸歯１１に回動可能に噛合しレバー３０に連動して回動する爪５０と、継手管ホルダー７０とからなり、レバー３０を爪５０を支点として回動させることにより、梃子杆４０を介してスライダー２０を大きく前進させて、パイプ９０を継手管ホルダー７０で保持した継手管８０に迅速、確実に外嵌できるようにしたもの。【選択図】        図１
2005040901.tif 000002
【特許請求の範囲】
【請求項１】
下向きの鋸歯１１Ａ、１１Ｂを設けた鋸歯杆１０Ａ、１０Ｂと、合成樹脂製硬質パイプ９０を着脱可能につかむパイプつかみ片２０１Ａ、２０１Ｂを連設すると共に、鋸歯杆１０Ａ、１０Ｂに外嵌してスライドするスライダー２０Ａ、２０Ｂと、一端をスライダー２０Ａ、２０Ｂに回動可能に軸着すると共に、他端を後記前レバー３２Ａ、３２Ｂに回動可能に軸着する梃子杆４０Ａ、４０Ｂと、梃子杆４０Ａ、４０Ｂに回動可能に軸着すると共に、鋸歯杆１０Ａ、１０Ｂにスライドできるようにした前レバー３２Ａ、３２Ｂと、前レバー３２Ａ、３２Ｂに逆Ｖ字状に交叉して回動可能に軸着した後レバー３１Ａ、３１Ｂと、鋸歯１１Ａ、１１Ｂに回動可能に噛合すると共に、前レバー３２Ａ、３２Ｂに連動して回動可能に軸着した爪５０Ａ、５０Ｂと、鋸歯杆１０Ａ、１０Ｂの先端に立設して固着した立杆６０Ａ、６０Ｂと、立杆６０Ａ、６０Ｂの上端に取り付けたたけのこ状継手管８０を保持する継手管ホルダー７０Ａ、７０Ｂとを備え、前レバー３２Ａ、３２Ｂの回動により、軸着した梃子杆４０Ａ、４０Ｂの梃子作用を介して、スライダー２０Ａ、２０Ｂを前進させ、パイプつかみでつかんだ合成樹脂製硬質パイプ９０を、継手管ホルダー７０Ａ、７０Ｂで保持したたけのこ状継手管８０に外嵌できるようにしたことを特徴とした嵌めこみ工具。
【請求項２】
前記前レバー３２Ａ及び後レバー３１Ａを、回動可能に軸着し、鋸歯杆１０Ａの両側に長手方向にスライドできるようにすると共に、梃子杆４０Ａの他端を前レバー３２Ａの前部に回動可能に軸着し、両レバー３１Ａ、３２Ａを握る毎に、スライダー２０Ａが前進し、離せば爪５０Ａが数歯前進した鋸歯１１Ａに噛合できるようにしたことを特徴とした請求項１記載の嵌めこみ工具。
【請求項３】
前記前レバー３２Ｂ及び後レバー３１Ｂを、回動可能に軸着し、鋸歯杆１０Ｂの両側に長手方向にスライドできるようにすると共に、梃子杆４０Ｂの他端を前レバー３２Ｂの中間部に回動可能に軸着し、両レバー３１Ｂ、３２Ｂを握る毎に、爪５０Ｂが数歯前進した鋸歯１１Ｂに噛合し、離せばスライダー２０Ｂが前進できるようにしたことを特徴とした請求項１記載の嵌めこみ工具。
【請求項４】
下向きの鋸歯１１Ｃ、１１Ｄを設けた鋸歯杆１０Ｃ、１０Ｄと、合成樹脂製硬質パイプ９０を着脱可能につかむパイプつかみ片２０１Ｃ、２０１Ｄを連設すると共に、鋸歯杆１０Ｃ、１０Ｄに外嵌してスライドするスライダー２０Ｃ、２０Ｄと、一端をスライダー２０Ｃ、２０Ｄに回動可能に軸着すると共に、他端を後記一本レバー３０Ｃ、３０Ｄに回動可能に軸着する梃子杆４０Ｃ、４０Ｄと、梃子杆４０Ｃ、４０Ｄに回動可能に軸着すると共に、鋸歯杆１０Ｃ、１０Ｄにスライドできるようにした一本レバー３０Ｃ、３０Ｄと、鋸歯杆１０Ｃ、１０Ｄの前端又は後端に固着した握り１３Ｃ、６１Ｄと、鋸歯１１Ｃ、１１Ｄに回動可能に噛合すると共に、一本レバー３０Ｃ、３０Ｄに連動して回動可能に軸着した爪５０Ｃ、５０Ｄと、鋸歯杆１０Ｃ、１０Ｄの先端に立設して固着した立杆６０Ｃ、６０Ｄと、立杆６０Ｃ、６０Ｄの上端に取り付けたたけのこ状継手管８０を保持する継手管ホルダー７０Ｃ、７０Ｄとを備え、一本レバー３０Ｃ、３０Ｄの移動及び回動により、軸着した梃子杆４０Ｃ、４０Ｄの梃子作用を介して、スライダー２０Ｃ、２０Ｄを前進させ、パイプつかみでつかんだ合成樹脂製硬質パイプ９０を、継手管ホルダー７０Ｃ、７０Ｄで保持したたけのこ状継手管８０に外嵌できるようにしたことを特徴とした嵌めこみ工具。
【請求項５】
前記一本レバー３０Ｃを、鋸歯杆１０Ｃの長手方向にスライドできるように爪５０Ｃを介して遊着すると共に、梃子杆４０Ｃの他端を一本レバー３０Ｃの前部に回動可能に軸着し、鋸歯杆１０Ｃの後端に握り１３Ｃを設け、握り１３Ｃと一本レバー３０Ｃをそれぞれ握り、パイプつかみでつかんだ合成樹脂製硬質パイプ９０の先端がたけのこ状継手管８０に当たる位置で、爪５０Ｃを鋸歯１１Ｃに噛合させ、一本レバー３０Ｃを時計方向へ回動して、スライダー２０Ｃを前進できるようにしたことを特徴とした請求項４記載の嵌めこみ工具。
【請求項６】
前記一本レバー３０Ｄを、鋸歯杆１０Ｄの長手方向にスライドできるように爪５０Ｄを介して遊着すると共に、梃子杆４０Ｄの他端を一本レバー３０Ｄの中間部に回動可能に軸着し、鋸歯杆１０Ｄの先端に握り６１Ｄを設け、握り６１Ｄと一本レバー３０Ｄをそれぞれ握り、パイプつかみでつかんだ合成樹脂製硬質パイプ９０の先端がたけのこ状継手管８０に当たる位置で、爪５０Ｄを鋸歯１１Ｄに噛合させ、一本レバー３０Ｄを反時計方向へ回動して、スライダー２０Ｄを前進できるようにしたことを特徴とした請求項４記載の嵌めこみ工具。
【請求項７】
前記スライダー２０Ａ、２０Ｂ、２０Ｃ、２０Ｄを、鋸歯杆１０Ａ、１０Ｂ、１０Ｃ、１０Ｄに外嵌して長手方向にスライドするスライダー部２１Ａ、２１Ｂ、２１Ｃ、２１Ｄと、スライダー部２１Ａ、２１Ｂ、２１Ｃ、２１Ｄに連設して合成樹脂製硬質パイプ９０を半嵌合する固定パイプつかみ片２０１Ａ、２０１Ｂ、２０１Ｃ、２０１Ｄと、固定パイプつかみ片２０１Ａ、２０１Ｂ、２０１Ｃ、２０１Ｄの上端のピン２２Ａ、２２Ｂ、２２Ｃ、２２Ｄに回動可能に軸着して合成樹脂製硬質パイプ９０を着脱可能に半嵌合する可動パイプつかみ片２０２Ａ、２０２Ｂ、２０２Ｃ、２０２Ｄと、スライダー部２１Ａ、２１Ｂ、２１Ｃ、２１Ｄの下端に、上端を回動可能に軸着し、可動パイプつかみ片２０２Ａ、２０２Ｂ、２０２Ｃ、２０２Ｄの閉鎖時に可動パイプつかみ片２０２Ａ、２０２Ｂ、２０２Ｃ、２０２Ｄに係着できるようにしたロックレバー２０３Ａ、２０３Ｂ、２０３Ｃ、２０３Ｄとからなることを特徴とした請求項１、２、３、４、５又は６記載の嵌めこみ工具。
【請求項８】
前記ロックレバー２０３Ａ、２０３Ｂ、２０３Ｃ、２０３Ｄを、その下端の回動軸孔近くに、複数個の軸孔２３Ａ、２３Ｂ、２３Ｃ、２３Ｄを設け、可動パイプつかみ片２０２Ａ、２０２Ｂ、２０２Ｃ、２０２Ｄとの係着を調整できるようにしたことを特徴とした請求項７記載の嵌めこみ工具。
【請求項９】
前記継手管ホルダー７０Ａ、７０Ｂ、７０Ｃ、７０Ｄを、ボルト状に形成して、立杆６０Ａ、６０Ｂ、６０Ｃ、６０Ｄ先端に設けたＵ字状螺孔６２Ａ、６２Ｂ、６２Ｃ、６２Ｄに螺着できるようにした螺合部７２Ａ、７２Ｂ、７２Ｃ、７２Ｄと、螺合部７２Ａ、７２Ｂ、７２Ｃ、７２Ｄに外嵌する座金７３Ａ、７３Ｂ、７３Ｃ、７３Ｄと、先端のたけのこ状継手管８０の管孔内に挿入される突起７１Ａ、７１Ｂ、７１Ｃ、７１Ｄを螺合部７２Ａ、７２Ｂ、７２Ｃ、７２Ｄの先端に連設したことを特徴とした請求項１、２、３、４、５又は６記載の嵌めこみ工具。
【発明の詳細な説明】
【技術分野】
【０００１】
本発明は、給水配管工事などに使用する合成樹脂製硬質パイプに、たけのこ状継手管を、嵌め込むために使用される嵌めこみ工具に関するものである。
【背景技術】
【０００２】
従来は、給水配管工事などにおいて、合成樹脂製硬質パイプにたけのこ状継手管を嵌め込むためには、図１９に示すような嵌め込み工具を使用していたが、ハンドル１２を押す毎に、爪相当の後退制御レバー１４が１歯づつしか進まないので、継手管嵌め込み作業に大幅な手間と時間がかかった。
そこで、本発明者は、ハンドルの回動に伴い、梃子を介して、スライダーが大きく前進し、能率よく、迅速に、嵌め込み作業ができることを見出し、本発明の嵌めこみ工具の開発に成功した。
【特許文献１】特許第２５８２７１２号公報
【発明の開示】
【発明が解決しようとする課題】
【０００３】
本発明は、合成樹脂製硬質パイプにたけのこ状継手管を嵌め込む作業を、簡単、迅速、かつ能率的にできるようにした嵌めこみ工具を提供するものである。
また、本発明は、構造簡単で、安価に製作でき、点検修理が容易にできるようにした嵌めこみ工具を提供するものである。
【課題を解決するための手段】
【０００４】
本発明の嵌めこみ工具は、上記課題を達成するため、図１乃至図９に示すように、下向きの鋸歯１１Ａ、１１Ｂを設けた鋸歯杆１０Ａ、１０Ｂと、パイプ９０を着脱可能につかむパイプつかみ片２０１Ａ、２０１Ｂを連設すると共に、鋸歯杆１０Ａ、１０Ｂに外嵌してスライドするスライダー２０Ａ、２０Ｂと、一端をスライダー２０Ａ、２０Ｂに回動可能に軸着すると共に、他端を後記前レバー３２Ａ、３２Ｂに回動可能に軸着する梃子杆４０Ａ、４０Ｂと、梃子杆４０Ａ、４０Ｂに回動可能に軸着すると共に、鋸歯杆１０Ａ、１０Ｂにスライドできるようにした前レバー３２Ａ、３２Ｂと、前レバー３２Ａ、３２Ｂに逆Ｖ字状に交叉して回動可能に軸着した後レバー３１Ａ、３１Ｂと、鋸歯１１Ａ、１１Ｂに回動可能に噛合すると共に、前レバー３２Ａ、３２Ｂに連動して回動可能に軸着した爪５０Ａ、５０Ｂと、鋸歯杆１０Ａ、１０Ｂの先端に立設して固着した立杆６０Ａ、６０Ｂと、立杆６０Ａ、６０Ｂの上端に取り付けたたけのこ状継手管８０を保持する継手管ホルダー７０Ａ、７０Ｂとを備え、前レバー３２Ａ、３２Ｂの回動により、軸着した梃子杆４０Ａ、４０Ｂの梃子作用を介して、スライダー２０Ａ、２０Ｂを前進させ、パイプつかみでつかんだ合成樹脂製硬質パイプ９０を、継手管ホルダー７０Ａ、７０Ｂで保持したたけのこ状継手管８０に外嵌できるようにしたものである。
また、本発明の嵌めこみ工具は、上記課題を達成するため、図１乃至図６に示すように、前レバー３２Ａ及び後レバー３１Ａを、回動可能に軸着し、鋸歯杆１０Ａの両側に長手方向にスライドできるようにすると共に、梃子杆４０Ａの他端を前レバー３２Ａの前部に回動可能に軸着し、両レバー３１Ａ、３２Ａを握る毎に、スライダー２０Ａが前進し、離せば爪５０Ａが数歯前進した鋸歯１１Ａに噛合できるようにしたものである。
また、本発明の嵌めこみ工具は、上記課題を達成するため、図７乃至図９に示すように、前レバー３２Ｂ及び後レバー３１Ｂを、回動可能に軸着し、鋸歯杆１０Ｂの両側に長手方向にスライドできるようにすると共に、梃子杆４０Ｂの他端を前レバー３２Ｂの中間部に回動可能に軸着し、両レバー３１Ｂ、３２Ｂを握る毎に、爪５０Ｂが数歯前進した鋸歯１１Ｂに噛合し、離せばスライダー２０Ｂが前進できるようにしたものである。
また、本発明の嵌めこみ工具は、上記課題を達成するため、図１０乃至図１６に示すように、下向きの鋸歯１１Ｃ、１１Ｄを設けた鋸歯杆１０Ｃ、１０Ｄと、合成樹脂製硬質パイプ９０を着脱可能につかむパイプつかみ片２０１Ｃ、２０１Ｄを連設すると共に、鋸歯杆１０Ｃ、１０Ｄに外嵌してスライドするスライダー２０Ｃ、２０Ｄと、一端をスライダー２０Ｃ、２０Ｄに回動可能に軸着すると共に、他端を後記一本レバー３０Ｃ、３０Ｄに回動可能に軸着する梃子杆４０Ｃ、４０Ｄと、梃子杆４０Ｃ、４０Ｄに回動可能に軸着すると共に、鋸歯杆１０Ｃ、１０Ｄにスライドできるようにした一本レバー３０Ｃ、３０Ｄと、鋸歯杆１０Ｃ、１０Ｄの前端又は後端に固着した握り１３Ｃ、６１Ｄと、鋸歯１１Ｃ、１１Ｄに回動可能に噛合すると共に、一本レバー３０Ｃ、３０Ｄに連動して回動可能に軸着した爪５０Ｃ、５０Ｄと、鋸歯杆１０Ｃ、１０Ｄの先端に立設して固着した立杆６０Ｃ、６０Ｄと、立杆６０Ｃ、６０Ｄの上端に取り付けたたけのこ状継手管８０を保持する継手管ホルダー７０Ｃ、７０Ｄとを備え、一本レバー３０Ｃ、３０Ｄの移動及び回動により、軸着した梃子杆４０Ｃ、４０Ｄの梃子作用を介して、スライダー２０Ｃ、２０Ｄを前進させ、パイプつかみでつかんだ合成樹脂製硬質パイプ９０を、継手管ホルダー７０Ｃ、７０Ｄで保持したたけのこ状継手管８０に外嵌できるようにしたものである。
また、本発明の嵌めこみ工具は、上記課題を達成するため、図１０乃至図１３に示すように、一本レバー３０Ｃを、鋸歯杆１０Ｃの長手方向にスライドできるように爪５０Ｄを介して遊着すると共に、梃子杆４０Ｃの他端を一本レバー３０Ｃの前部に回動可能に軸着し、鋸歯杆１０Ｃの後端に握り１３Ｃを設け、握り１３Ｃと一本レバー３０Ｃをそれぞれ握り、パイプつかみでつかんだ合成樹脂製硬質パイプ９０の先端がたけのこ状継手管８０に当たる位置で、爪５０Ｃを鋸歯１１Ｃに噛合させ、一本レバー３０Ｃを時計方向へ回動して、スライダー２０Ｃを前進できるようにしたものである。
また、本発明の嵌めこみ工具は、上記課題を達成するため、図１４乃至図１６に示すように、一本レバー３０Ｄを、鋸歯杆１０Ｄの長手方向にスライドできるように爪５０Ｄを介して遊着すると共に、梃子杆４０Ｄの他端を一本レバー３０Ｄの中間部に回動可能に軸着し、鋸歯杆１０Ｄの先端に握り６１Ｄを設け、握り６１Ｄと一本レバー３０Ｄをそれぞれ握り、パイプつかみでつかんだ合成樹脂製硬質パイプ９０の先端がたけのこ状継手管８０に当たる位置で、爪５０Ｄを鋸歯１１Ｄに噛合させ、一本レバー３０Ｄを反時計方向へ回動して、スライダー２０Ｄを前進できるようにしたものである。
また、本発明の嵌めこみ工具は、上記課題を達成するため、図５及び図６に示すように、スライダー２０Ａ、２０Ｂ、２０Ｃ、２０Ｄを、鋸歯杆１０Ａ、１０Ｂ、１０Ｃ、１０Ｄに外嵌して長手方向にスライドするスライダー部２１Ａ、２１Ｂ、２１Ｃ、２１Ｄと、スライダー部２１Ａ、２１Ｂ、２１Ｃ、２１Ｄに連設して合成樹脂製硬質パイプ９０を半嵌合する固定パイプつかみ片２０１Ａ、２０１Ｂ、２０１Ｃ、２０１Ｄと、固定パイプつかみ片２０１Ａ、２０１Ｂ、２０１Ｃ、２０１Ｄの上端のピン２２Ａ、２２Ｂ、２２Ｃ、２２Ｄに回動可能に軸着して合成樹脂製硬質パイプ９０を着脱可能に半嵌合する可動パイプつかみ片２０２Ａ、２０２Ｂ、２０２Ｃ、２０２Ｄと、スライダー部２１Ａ、２１Ｂ、２１Ｃ、２１Ｄの下端に、上端を回動可能に軸着し、可動パイプつかみ片２０２Ａ、２０２Ｂ、２０２Ｃ、２０２Ｄの閉鎖時に可動パイプつかみ片２０２Ａ、２０２Ｂ、２０２Ｃ、２０２Ｄに係着できるようにしたロックレバー２０３Ａ、２０３Ｂ、２０３Ｃ、２０３Ｄとからなるものである。
また、本発明の嵌めこみ工具は、上記課題を達成するため、図５及び図６に示すように、ロックレバー２０３Ａ、２０３Ｂ、２０３Ｃ、２０３Ｄを、その下端の回動軸孔近くに、複数個の軸孔２３Ａ、２３Ｂ、２３Ｃ、２３Ｄを設け、可動パイプつかみ片２０２Ａ、２０２Ｂ、２０２Ｃ、２０２Ｄとの係着を調整できるようにしたものである。
また、本発明の嵌めこみ工具は、上記課題を達成するため、図１７及び図１８に示すように、継手管ホルダー７０Ａ、７０Ｂ、７０Ｃ、７０Ｄを、ボルト状に形成して、立杆６０Ａ、６０Ｂ、６０Ｃ、６０Ｄ先端に設けたＵ字状螺孔６２Ａ、６２Ｂ、６２Ｃ、６２Ｄに螺着できるようにした螺合部７２Ａ、７２Ｂ、７２Ｃ、７２Ｄと、螺合部７２Ａ、７２Ｂ、７２Ｃ、７２Ｄに外嵌する座金７３Ａ、７３Ｂ、７３Ｃ、７３Ｄと、先端のたけのこ状継手管８０の管孔内に挿入される突起７１Ａ、７１Ｂ、７１Ｃ、７１Ｄを螺合部７２Ａ、７２Ｂ、７２Ｃ、７２Ｄ先端に連設したものである。
本発明において、鋸歯杆１０Ａは、図１乃至図３に示すように、長枠の上縁に下向きの鋸歯１１Ａが設けられ、後記の爪５０Ａと回動可能に噛合できるように配列されている。また、後述する回動する爪５０Ａの下部と噛合するラック、または、回動する爪５０Ａの下部とスライドできるスライダ枠を、長枠の下縁１２Ａに設けてもよい。
また、本発明において、パイプつかみ付きスライダー２０Ａは、図５及び図６に示すように、鋸歯杆１０Ａに外嵌して鋸歯杆１０Ａの長手方向にスライドできるスライダー部２１Ａと、パイプつかみ部とからなり、パイプつかみ部は、固定パイプつかみ片２０１Ａと、可動パイプつかみ片２０２Ａと、合成樹脂製硬質パイプ９０をつかんだ可動パイプつかみ片２０２Ａを係着するロックレバー２０３Ａとからなる。また、パイプつかみは、スライダー部、固定パイプつかみ片、可動パイプつかみ片及びロックレバーがあれば、ほかの公知のパイプつかみでもよい。
また、本発明において、爪５０Ａは、鋸歯１１Ａに回動可能に噛合するくさび状の上部とほぼ円形状の下部からなり、下部は鋸歯杆１０Ａの長枠の下縁１２Ａに回動してスライドし、または、下縁に設けたラック（図示しない）に回動して噛合してもよい。
また、本発明において、継手管ホルダー７０Ａは、図１７及び図１８に示すように、ボルト状に形成して、立杆６０Ａ先端に設けたＵ字状螺孔６２Ａに螺着できるようにした螺合部７２Ａと、螺合部７２Ａ先端に連設してたけのこ状継手管８０の管孔内に挿入して支持する突起７１Ａからなるものである。
また、立杆６０Ａ先端のＵ字状螺孔６２Ａは、図１７に示すように、合成樹脂製硬質パイプ９０に嵌め込んだ継手管ホルダー７０Ａが外しやすいように上方へ向けて一部を切り欠いた形状となっている。
【発明の効果】
【０００５】
本発明の嵌めこみ工具は、合成樹脂製硬質パイプにたけのこ状継手管を嵌めこむ際、レバーの回動、または、レバーの移動と回動により、梃子杆を介して、スライダーが大きく前進し、またレバーに加える力が拡大され、簡単、迅速、かつ能率的に嵌めこみ作業ができ、現場で作業が容易にできる。
また、本発明の嵌めこみ工具は、構造簡単で、安価に製作でき、点検修理が容易にできる。
【発明を実施するための最良の形態】
【０００６】
本発明は、合成樹脂製硬質パイプを素早く、確実にクランプし、爪による確実で飛躍的な送りと力強い押し込み力により、迅速、安全、確実に、たけのこ状継手管の嵌め込みができる工具を実現した。
【実施例１】
【０００７】
本発明の実施例１が図１乃至図６に示されている。
本発明の嵌めこみ工具は、鋸歯杆１０Ａと、パイプつかみ付きスライダー２０Ａと、後レバー３１Ａと前レバー３２Ａと、梃子杆４０Ａと、爪５０Ａと、立杆６０Ａと、継手管ホルダー７０Ａとを備えている。
鋸歯杆１０Ａは、長枠ロ字状の平板で、長枠内の上縁１１Ａに下向きの鋸歯１１Ａが設けられ、爪５０Ａの上部と回動可能に噛合できると共に、長枠内の下縁１２Ａは、爪５０Ａの下部がスライドできるように形成されている。また、鋸歯杆１０Ａの長枠の上下外面は、図５及び図６に示すように、後述するパイプつかみ付きスライダー２０Ａのスライダー部２１Ａに内設されたローラ２１１Ａ、２１１Ａに鋸歯杆１０Ａがスライドできるように形成されている。
パイプつかみ付きスライダー２０Ａは、図５及び図６に示すように、鋸歯杆１０Ａに外嵌してスライドできるロ字状断面のスライダ部２１Ａと、合成樹脂製硬質パイプ９０を半嵌合する固定パイプつかみ片２０１Ａと、上端のピン２２Ａに回動可能に軸着されて、残された合成樹脂製硬質パイプ９０を半嵌合する可動パイプつかみ片２０２Ａと、可動パイプつかみ片２０２Ａを閉じたとき、可動パイプつかみ片２０２Ａに係着できるようにしたロックレバー２０３Ａを設けている。
後レバー３１Ａと前レバー３２Ａは、図１乃至図４に示すように、それぞれ鋸歯杆１０Ａの両側に摺動できるようにすると共に、後レバー３２Ａは前レバー３１Ａに逆Ｖ字状に交叉して回動可能に軸着されている。また、後レバー３１Ａと前レバー３２Ａには、レバーバネ３０１Ａが内嵌されて、レバーバネ３０１Ａにより前レバー３２Ａを握って離せば、前レバー３２Ａは元の位置に復帰するものである。
梃子杆４０Ａは、一端を前レバー３２Ａ前部に回動可能に軸着されると共に、他端をスライダー２０Ａのスライダー部２１Ａ外面に回動可能に軸着されている。
爪５０Ａは、図２乃至図４に示すように、鋸歯杆１０Ａの鋸歯１１Ａに回動可能に噛合するくさび状の上部と、ほぼ円形状の下部からなり、下部は鋸歯杆１０Ａの長枠の下縁１２Ａに回動してスライド可能に形成されると共に、前レバー３２Ａに軸５０３Ａを介して回動可能に軸着されている。また、後レバー３１Ａと前レバー３２Ａを握ってスライダー２０Ａを前進させたのち、握りを離せば、爪５０Ａは反時計方向に回動し鋸歯１１Ａからはずれて、数歯前進した鋸歯１１Ａに噛合できるように形成されている。さらに、爪５０Ａには、戻りレバー５０１Ａが軸着され、前レバー３２Ａと戻りレバー５０１Ａの間に爪バネ５０２Ａが内嵌されて、爪バネ５０２Ａにより、戻りレバー５０１Ａを離せば、爪５０Ａは時計方向に回動して元の位置に復帰するものである。
立杆６０Ａは、鋸歯杆１０Ａの前端に垂直上向きに固着されて上端にＵ字状螺孔６２Ａを設けている。
継手管ホルダー７０Ａは、ボルト状に形成された螺合部７２Ａと、先端に連設したたけのこ状継手管８０に嵌入して支持する突起７１Ａと、座金７３Ａとからなり、立杆６０Ａの上端のＵ字状螺孔６２Ａに螺着される。
従って、合成樹脂製硬質パイプ９０にたけのこ状継手管８０を嵌めこむ際は、継手管ホルダー７０Ａの突起７１Ａを介して、たけのこ状継手管８０の後端に嵌入させると共に、パイプつかみ付きスライダー２０Ａの可動パイプつかみ片２０２Ａを、図６に示すように開き、合成樹脂製硬質パイプ９０を半嵌したのち、可動パイプつかみ片２０２Ａを半嵌し、ロックレバー２０３Ａを係着し、次いで、レバーバネ３０１Ａに抗して、後レバー３１Ａと前レバー３２Ａを握りしめれば、握る毎に、スライダー２０Ａが数歯分の距離を前進し、合成樹脂製硬質パイプ９０にたけのこ状継手管８０を梃子作用で強力に嵌め込むことができる。
たけのこ状継手管８０の嵌め込み作業が終われば、Ｕ字状螺孔６２Ａから継手管ホルダー７０Ａをはずすと共に、継手管ホルダー７０Ａの突起７１Ａをたけのこ状継手管８０からはずし、ロックレバー２０３Ａを開き、可動パイプつかみ片２０２Ａを開き、爪５０Ａに連動して軸着した戻りレバー５０１Ａを、爪バネ５０２Ａに抗して反時計方向に回動させて、爪５０Ａの先端を鋸歯１１Ａからはずしたまま、後レバー３１Ａを後退させれば、スライダー２０Ａは元の位置に戻ることになる。
【実施例２】
【０００８】
本発明の実施例２が図７乃至図９に示されている。
本発明の嵌めこみ工具は、鋸歯杆１０Ｂと、パイプつかみ付きスライダー２０Ｂと、後レバー３１Ｂと前レバー３２Ｂと、梃子杆４０Ｂと、爪５０Ｂと、立杆６０Ｂと、継手管ホルダー７０Ｂとを備えている。
鋸歯杆１０Ｂ、パイプつかみ付きスライダー２０Ｂ、後レバー３１Ｂ、爪５０Ｂ、立杆６０Ｂ、継手管ホルダー７０Ｂの構成は、本発明実施例１と同じであるので、詳細説明は省略する。
梃子杆４０Ｂは、一端を前レバー３２Ｂの中間部に回動可能に軸着されると共に、他端をスライダー２０Ｂのスライダー部２１Ｂ外面に、回動可能に軸着されている。
従って、合成樹脂製硬質パイプ９０にたけのこ状継手管８０を嵌めこむ際は、継手管ホルダー７０Ｂの突起７１Ｂを介して、たけのこ状継手管８０の後端に嵌入させると共に、パイプつかみ付きスライダー２０Ｂの可動パイプつかみ片２０２Ｂを、図６に示すように開き、合成樹脂製硬質パイプ９０を半嵌したのち、可動パイプつかみ片２０２Ｂを半嵌し、ロックレバー２０３Ｂを係着し、次いで、レバーバネ３０１Ｂに抗して、後レバー３１Ｂと前レバー３２Ｂを握りしめれば、握る毎に、爪５０Ｂが数歯前進した鋸歯１１Ｂに噛合し、離せばスライダー２０Ｂが数歯分の距離を前進し、合成樹脂製硬質パイプ９０にたけのこ状継手管８０を梃子作用で強力に嵌め込むことができる。
たけのこ状継手管８０の嵌め込み作業が終われば、Ｕ字状螺孔６２Ｂから継手管ホルダー７０Ｂをはずすと共に、継手管ホルダー７０Ｂの突起７１Ｂをたけのこ状継手管８０からはずし、ロックレバー２０３Ｂを開き、可動パイプつかみ片２０２Ｂを開き、爪５０Ｂに連動して軸着した戻りレバー５０１Ｂを、爪バネ５０２Ｂに抗して反時計方向に回動させて、爪５０Ｂの先端を鋸歯１１Ｂからはずしたまま、後レバー３１Ｂを後退させれば、スライダー２０Ｂは元の位置に戻ることになる。
【実施例３】
【０００９】
本発明の実施例３が図１０乃至図１３に示されている。
本発明の嵌めこみ工具は、鋸歯杆１０Ｃと、パイプつかみ付きスライダー２０Ｃと、一本レバー３０Ｃと、梃子杆４０Ｃと、爪５０Ｃと、立杆６０Ｃと、継手管ホルダー７０Ｃとを備えている。
鋸歯杆１０Ｃ、パイプつかみ付きスライダー２０Ｃ、梃子杆４０Ｃ、立杆６０Ｃ、継手管ホルダー７０Ｃの構成は、本発明実施例１と同じであるので、詳細説明は省略する。
一本レバー３０Ｃは、図１０乃至図１３に示すように、鋸歯杆１０Ｃの長手方向にスライドできるように爪５０Ｃをはさんで、抜止め片５０４Ｃと軸着すると共に、梃子杆４０Ｃの他端が一本レバー３０Ｃの前部に回動可能に軸着されている。
爪５０Ｃは、図１０乃至図１３に示すように、鋸歯杆１０Ｃの鋸歯１１Ｃに回動可能に噛合するくさび状の上部とほぼ円形状の下部からなり、下部は鋸歯杆１０Ｃの長枠の下縁１２Ｃに回動してスライド可能に形成され、また、一本レバー３０Ｃに回動可能に軸着され、一本レバー３１を握ってスライダー２０Ｃを前進させた位置で鋸歯１１Ｃに噛合できるように形成されている。
握り１３Ｃは、鋸歯杆１０Ｃの後端に下方へ向けて固着されている。
従って、合成樹脂製硬質パイプ９０にたけのこ状継手管８０を嵌めこむ際は、継手管ホルダー７０Ｃの突起７１Ｃを介して、たけのこ状継手管８０の後端に嵌入させると共に、パイプつかみ付きスライダー２０Ｃの可動パイプつかみ片２０２Ｃを、図６に示すように開き、合成樹脂製硬質パイプ９０を半嵌したのち、可動パイプつかみ片２０２Ｃを半嵌し、ロックレバー２０３Ｃを係着し、次いで、握り１３Ｃと一本レバー３０Ｃをそれぞれ握り、一本レバー３０Ｃを爪５０Ｃを反時計方向に回動させたまま、パイプつかみでつかんだ合成樹脂製硬質パイプ９０の先端がたけのこ状継手管８０に当たる位置まで移動させ、爪５０Ｃを鋸歯１１Ｃに噛合させ、一本レバー３０Ｃを時計方向へ回動させれば、梃子杆４０Ｃを介してスライダー２０Ｃが大きく前進して、一本レバー３０Ｃの一回の操作により、合成樹脂製硬質パイプ９０にたけのこ状継手管８０を梃子作用で強力に嵌め込むことができる。
たけのこ状継手管８０の嵌め込み作業が終われば、Ｕ字状螺孔６２Ｃから継手管ホルダー７０Ｃをはずすと共に、継手管ホルダー７０Ｃの突起７１Ｃをたけのこ状継手管８０からはずし、ロックレバー２０３Ｃを開き、可動パイプつかみ片２０２Ｃを開き、一本レバー３０Ｃを反時計方向へ回動させ、爪５０Ｃの先端を鋸歯１１Ｃからはずしたまま、一本レバー３０Ｃを後退させれば、スライダー２０Ｃは元の位置に戻ることになる。
【実施例４】
【００１０】
本発明の実施例４が図１４乃至図１６に示されている。
本発明の嵌めこみ工具は、鋸歯杆１０Ｄと、パイプつかみ付きスライダー２０Ｄと、一本レバー３０Ｄと、梃子杆４０Ｄと、爪５０Ｄと、立杆６０Ｄと、継手管ホルダー７０Ｄとを備えている。
鋸歯杆１０Ｄ、パイプつかみ付きスライダー２０Ｄ、梃子杆４０Ｄ、爪５０Ｄ、立杆６０Ｄ、継手管ホルダー７０Ｄの構成は、本発明実施例３と同じであるので、詳細説明は省略する。
一本レバー３０Ｄは、図１４乃至図１６に示すように、鋸歯杆１０Ｄに長手方向にスライドできるように爪５０Ｄをはさんで、抜止め片５０４Ｄと軸着すると共に、梃子杆４０Ｄの他端が一本レバー３０Ｄの中間部に回動可能に軸着されている。
握り６１Ｄは、鋸歯杆１０Ｄの前端に下方へ向けて固着されている。
従って、合成樹脂製硬質パイプ９０にたけのこ状継手管８０を嵌めこむ際は、継手管ホルダー７０Ｄの突起７１Ｄを介して、たけのこ状継手管８０の後端に嵌入させると共に、パイプつかみ付きスライダー２０Ｄの可動パイプつかみ片２０２Ｄを、図６に示すように開き、合成樹脂製硬質パイプ９０を半嵌したのち、可動パイプつかみ片２０２Ｄを半嵌し、ロックレバー２０３Ｄを係着し、次いで、握り１３Ｄと一本レバー３０Ｄをそれぞれ握り、一本レバー３０Ｄを爪５０Ｄを反時計方向に回動させたまま、パイプつかみでつかんだ合成樹脂製硬質パイプ９０の先端がたけのこ状継手管８０に当たる位置まで移動させ、爪５０Ｄを鋸歯１１Ｄに噛合させ、一本レバー３０Ｄを反時計方向へ回動させれば、梃子杆４０Ｄを介してスライダー２０Ｄが大きく前進して、一本レバー３０Ｄの一回の操作により、合成樹脂製硬質パイプ９０にたけのこ状継手管８０を梃子作用で強力に嵌め込むことができる。
たけのこ状継手管８０の嵌め込み作業が終われば、Ｕ字状螺孔６２Ｄから継手管ホルダー７０Ｄをはずすと共に、継手管ホルダー７０Ｄの突起７１Ｄをたけのこ状継手管８０からはずし、ロックレバー２０３Ｄを開き、可動パイプつかみ片２０２Ｄを開き、一本レバー３０Ｄを少し前進させ、爪５０Ｄの先端を鋸歯１１Ｄからはずしたまま、一本レバー３０Ｄを後退させれば、スライダー２０Ｄは元の位置に戻ることになる。
【産業上の利用可能性】
【００１１】
本発明によれば、合成樹脂製硬質パイプに各種の継手管を嵌入する場合に、広く応用できる携帯に適する小型の嵌めこみ工具として、今後、大いに期待できるものである。
【図面の簡単な説明】
【００１２】
【図１】本発明の実施例を示す正面からみた説明図である。
【図２】図１のレバーの一部を切り欠いた正面からみた説明図である。
【図３】図２のレバー操作を示す正面からみた説明図である。
【図４】図１のレバーの左側面からみた説明図である。
【図５】図１のパイプつかみ付きスライダーの左側面からみた説明図である。
【図６】図５のパイプつかみを開いたときの左側面からみた説明図である。
【図７】本発明の別の実施例を示す正面からみた説明図である。
【図８】図７のレバーの一部を切り欠いた正面からみた説明図である。
【図９】図８のレバー操作を示す正面からみた説明図である。
【図１０】本発明のさらに別の実施例を示す正面からみた説明図である。
【図１１】図１０のスライダーの移動を示す正面からみた説明図である。
【図１２】図１１のレバー操作を示す正面からみた説明図である。
【図１３】図１０のレバーの左側面からみた説明図である。
【図１４】本発明のさらにまた別の実施例を示す正面からみた説明図である。
【図１５】図１４のスライダーの移動を示す正面からみた説明図である。
【図１６】図１５のレバー操作を示す正面からみた説明図である。
【図１７】本発明の実施例の立杆先端の螺孔を示す右側面からみた説明図である。
【図１８】本発明の実施例の接手管ホルダーの一例を示す正面図である。
【図１９】従来例を示す一部を断面にした正面からみた説明図である。
【符号の説明】
【００１３】
１０Ａ、１０Ｂ、１０Ｃ、１０Ｄ    鋸歯杆
１１Ａ、１１Ｂ、１１Ｃ、１１Ｄ    鋸歯
１３Ｃ          握り
２０Ａ、２０Ｂ、２０Ｃ、２０Ｄ    パイプつかみ付きスライダー
２０１Ａ、２０１Ｂ、２０１Ｃ、２０１Ｄ    固定パイプつかみ片
２０２Ａ、２０２Ｂ、２０２Ｃ、２０２Ｄ    可動パイプつかみ片
２０３Ａ、２０３Ｂ、２０３Ｃ、２０３Ｄ    ロックレバー
２１Ａ、２１Ｂ、２１Ｃ、２１Ｄ    スライダー部
２２Ａ、２２Ｂ、２２Ｃ、２２Ｄ    固定パイプつかみ片のピン
２３Ａ、２３Ｂ、２３Ｃ、２３Ｄ    ロックレバーの軸孔
３０Ｃ、３０Ｄ                 一本レバー
３１Ａ、３１Ｂ    後レバー
３２Ａ、３２Ｂ    前レバー
４０Ａ、４０Ｂ、４０Ｃ、４０Ｄ    梃子杆
５０Ａ、５０Ｂ、５０Ｃ、５０Ｄ    爪
６０Ａ、６０Ｂ、６０Ｃ、６０Ｄ    立杆
６１Ｄ          握り
７０Ａ、７０Ｂ、７０Ｃ、７０Ｄ    継手管ホルダー
７１Ａ、７１Ｂ、７１Ｃ、７１Ｄ    継手管ホルダーの突起
７２Ａ、７２Ｂ、７２Ｃ、７２Ｄ    継手管ホルダーの螺合部
７３Ａ、７３Ｂ、７３Ｃ、７３Ｄ    継手管ホルダーの座金
８０            たけのこ状継手管
９０            合成樹脂製硬質パイプ
【図１】
2005040901.tif 000003
【図２】
2005040901.tif 000004
【図３】
2005040901.tif 000005
【図４】
2005040901.tif 000006
【図５】
2005040901.tif 000007
【図６】
2005040901.tif 000008
【図７】
2005040901.tif 000009
【図８】
2005040901.tif 000010
【図９】
2005040901.tif 000011
【図１０】
2005040901.tif 000012
【図１１】
2005040901.tif 000013
【図１２】
2005040901.tif 000014
【図１３】
2005040901.tif 000015
【図１４】
2005040901.tif 000016
【図１５】
2005040901.tif 000017
【図１６】
2005040901.tif 000018
【図１７】
2005040901.tif 000019
【図１８】
2005040901.tif 000020
【図１９】
2005040901.tif 000021